(57)【要約】【課題】視角によって変化する立体模様を容易に得ることができる飾り容器を提供する。【解決手段】飾り容器１０は、キャップ本体１２の端部である頭部分に飾り面１４が設けられる。飾り面１４の凸レンズ１６は、光の入射側および放射側の両面それぞれに二次元的な湾曲面を有し、内表面側の凸面に反射体１８が形成される。キャップ本体１２の飾り面１４の領域は溝状に折り曲げ加工され、反射体１８の側を向けて凸レンズ１６が例えば嵌合、固定される。凸レンズ１６に入射した光が、集光されて反射体１８に当たり、集光した反射光が凸レンズ１６を介して外部に放射される。このとき、飾り容器１０の飾り面１４を見ると、周辺の藍色の背景のほぼ中央部分に、青白く、かつ周辺に向けて色の濃さが増す立体的な帯状の模様が浮かび上がるのを観察することができる。飾り面１４を見る視角を変えると、帯状の模様の帯の幅が変化しあるいは帯が移動する。【選択図】図１
0003116498.tif 000002
【実用新案登録請求の範囲】
【請求項１】
入射光を透過する透過体と、該透過体の内表面側に設けられ、該透過体を介して外部に反射光を放射する湾曲した反射面を有する反射体とを備えた飾り面を含むことを特徴とする飾り容器。
【請求項２】
前記透過体の外表面側に着色体もしくは半透明体が設けられ、または、該透過体が着色材料もしくは半透明材料で形成され、または、前記反射体の反射面が着色体または半透明体で形成されることを特徴とする請求項１記載の飾り容器。
【請求項３】
前記透過体がレンズであり、前記反射体が該レンズの内表面側に積層される反射材層であることを特徴とする請求項１または２記載の飾り容器。
【請求項４】
前記レンズが内表面側に凸状に形成された凸レンズであり、前記飾り面が容器の蓋体に設けられ、化粧料を収容して用いられることを特徴とする請求項３記載の飾り容器。
【考案の詳細な説明】
【技術分野】
【０００１】
本考案は、意匠性に優れる飾り容器に関するものである。
【背景技術】
【０００２】
例えば口紅を収容する口紅容器やパフ等を収容したコンパクト容器等の化粧品容器は、店頭に並べたときに、客の注目を浴び、さらには客の購買意欲を高めることができるように、意匠性に優れることが望ましい。これは、化粧品用容器に限らず、程度の差はあるにしろ他の容器においても同様である。
【０００３】
容器の意匠性を高めるために、無数の創意工夫がなされている。これらの創意工夫は、容器の形状に関するものと容器の模様あるいは色彩に関するものとに大別することができる。
上記後者の容器の模様あるいは色彩に関する創意工夫は、容器に模様や色彩を直接描く等により、視角に関わらずこれら模様等を固定化する方法が一般的に採用されている。
【０００４】
これに対して、例えばホログラフィ手法を用いて、容器の表面にホログラムを設ければ、ホログラムからの再生光の放射により立体的な模様を浮かび上がらせることができ、また、さらに、ホログラムを見る方向が変わると、この立体的な模様が変化するため、上記の一般的な方法によるものに比べて視覚的効果が非常に高いものと考えられる（例えば、特許文献１参照。）。
【特許文献１】特開２００５−０２９２５５号公報
【考案の開示】
【考案が解決しようとする課題】
【０００５】
しかしながら、ホログラムは、ホログラフィ手法を用いて特殊な膜を形成するものであるため、作成が煩雑であり、また、条件によってはコスト高になるものと思われる。これらのことは、奥行きのある立体模様を得ようとする場合において一層顕著である。
【０００６】
本考案は、上記の課題に鑑みてなされたものであり、視角によって変化する立体模様を容易に得ることができる飾り容器を提供することを目的とする。
【課題を解決するための手段】
【０００７】
本考案に係る飾り容器は、入射光を透過する透過体と、該透過体の内表面側（入射光の放射側表面）に設けられ、該透過体を介して外部に反射光を放射する湾曲した反射面を有する反射体とを備えた飾り面を含むことを特徴とする。
【０００８】
また、本考案に係る飾り容器は、前記透過体の外表面側（入射光の入射側表面）に着色体もしくは半透明体が設けられ、または、該透過体が着色材料もしくは半透明材料で形成され、または、前記反射体の反射面が着色体または半透明体で形成されることを特徴とする。
【０００９】
また、本考案に係る飾り容器は、前記透過体がレンズであり、前記反射体が該レンズの内表面側に積層される反射材層であることを特徴とする。
【００１０】
また、本考案に係る飾り容器は、前記レンズが内表面側に凸状に形成された凸レンズであり、前記飾り面が容器の蓋体に設けられ、化粧料を収容して用いられることを特徴とする。
【考案の効果】
【００１１】
本考案の飾り容器は、入射光を透過する透過体と、透過体の内側に設けられ、反射光を透過体を介して外部に放射する湾曲した反射面を有する反射体とを備えた飾り面を含むため、視角によって変化する立体模様を容易に得ることができ、容器の意匠性に優れるという利点がある。
【考案を実施するための最良の形態】
【００１２】
本考案に係る飾り容器の実施の形態について説明する。
【００１３】
本考案の飾り容器は、透過体と反射体とを備えた飾り面（飾り部材）を含むものである。
飾り容器は、例えば口紅を収容する口紅容器やパフ等を収容したコンパクト容器等の化粧品容器である。また、これに限らず、意匠性を求められる容器全般に適用することができる。
飾り面は、例えば容器の蓋体や容器本体の側面等の適宜の箇所に１つまたは必要に応じて複数設けることができる。また、飾り面は、例えば容器の蓋体等の全面に設けてもよく、あるいはまた部分的に設けてもよい。
飾り面を構成する透過体と反射体は、例えば飾り面が小さい場合等において１組のみ設けてもよく、あるいはまた、飾り面が大きい場合等において必要に応じて複数組設けてもよい。
【００１４】
透過体は、飾り面の表面側に設けられ、入射光を透過する。透過体は、板状等の非レンズ体であってもよいが、好ましくは、レンズ体（レンズ）を用いる。透過体としてレンズ体を用いる場合、レンズ体は、凸レンズであってもよくまた凹レンズであってもよい。レンズ体は、片面のみ湾曲面としてもよく、また、両面ともに湾曲面としてもよい。また、レンズ体は、三次元的に湾曲した球殻状であってもよく、あるいはまた、二次元的に湾曲した、かまぼこ板に載ったかまぼこ状であってもよい。また、レンズ体の厚みや曲率は特に限定するものではなく、レンズ体の大きさ、言い換えれば飾り面の大きさや、あるいはまた得ようとする立体模様の大きさや形状、立体模様と立体模様の周辺部とのコントラスト等を考慮して、適宜設定することができる。
透過体の材料は、特に限定されず、例えば、ガラスや透過性を有する硬質樹脂等を好適に用いることができる。
【００１５】
反射体は、透過体の内表面側、言い換えれば入射光の放射側に設けられ、湾曲した反射面を有し、透過体を介して反射光を外部に放射する。これにより、飾り面を見るときに、視角によって変化する立体模様を観察することができる。
反射体の湾曲面は、透過体の場合と同様に、三次元的あるいは二次元的に湾曲した形状とすることができ、また、曲率等も特に限定するものではない。
反射体は、湾曲したレンズ体の表面にアルミニウムや錫等の反射率の高い材料の膜あるいは箔を積層したものであってもよく、また、透過体とは別部材として設けた反射率の高い材料の薄板であってもよく、あるいはまた、種類の制限のない金属や樹脂の薄板の反射面側に反射率の高い材料の膜あるいは箔を積層したものであってもよい。さらにまた、反射体は、必ずしも反射率の高いものでなくてもよい。
【００１６】
飾り容器は、好ましくは、透過体の外表面側に着色体もしくは半透明体を設け、または、透過体を着色材料もしくは半透明材料で形成し、または、反射体の反射面を着色体または半透明体で形成する。
反射体からの反射光を着色光または透過率の低いものとすることにより、外界の写り込みが少なくあるいは外界の写り込みがないシンプルな模様を得ることができる。
また、飾り面の色を自由に設定することができるため、例えば、得られる模様の印象を変えることができ、あるいはまた、飾り面の色を容器の他の部分と同一あるいは類似にして統一性を高め、あるいは逆に容器の他の部分と大きく異なる色にして視覚に訴える等することができる。
【００１７】
上記のように構成される本考案の飾り容器は、飾り面を見る視角によって形状が変わりあるいはまた位置が変わるとともに、周辺部とのコントラストの大きい立体模様を得ることができる。このとき、反射体等の湾曲面が三次元的な場合は球状の立体模様を観察することができ、反射体等の湾曲面が二次元的な場合は帯状の立体模様を観察することができる。
これにより、意匠性に優れる飾り面を有する容器を簡易に得ることができるため、客の注目を浴び、さらには客の購買意欲を高めることができる。
【００１８】
本考案の飾り容器の２つの具体例について、以下に説明する。
【００１９】
図１に部分断面構造の概略を示す飾り容器１０は、例えば口紅容器であり、例えば藍色に着色された硬質樹脂製のキャップ本体１２の端部である頭部分に飾り面１４が設けられる。
飾り面１４は、凸レンズ１６および反射体１８を有する。凸レンズ１６は、例えば透明な硬質樹脂製であり、光の入射側および放射側の両面それぞれに、ほぼ中央部を頂部として図１の紙面表裏方向に延出する峰状に形成された、二次元的な湾曲面を有する。凸レンズ１６の内表面側の凸面に、例えばホットスタンプ（箔押し印刷）等の簡易な方法でアルミニウム等の反射材料からなる反射体１８が積層形成される。
一方、キャップ本体１２の飾り面１４の領域は、凸レンズ１６の内表面にほぼ密着するように溝状に折り曲げ加工される。この溝状の部分に、反射体１８の側を向けて凸レンズ１６が例えば嵌合、固定される。
【００２０】
飾り容器１０は、凸レンズ１６に入射した光が、集光されて反射体１８に当たり、集光した反射光が凸レンズ１６を介して外部に放射される。
このとき、飾り容器１０の飾り面１４を見ると、周辺の藍色の背景のほぼ中央部分に、青白く、かつ周辺に向けて色の濃さが増す立体的な帯状の模様が浮かび上がるのを観察することができる。また、このとき、飾り面１４を見る視角を変えると、帯状の模様の帯の幅が変化しあるいは帯が移動する様を観察することができる。
観察される模様は、いわばホログラム模様状で、かつシンプルであり、宝飾の趣を得ることができる。
この宝飾の趣のある飾り面は、安価で簡易に形成することができる。
【００２１】
つぎに、図２に部分断面構造の概略を示す飾り容器２０は、例えばコンパクト容器であり、例えば表面が深紅に着色された金属製の円筒状の蓋（蓋体）本体２２の端面部分に飾り面２４が設けられる。飾り面２４は、片面が凸に形成された、例えば透明な硬質樹脂製の凸レンズ２６の凸面にアルミニウム等の反射材が蒸着等の方法で積層されて反射体層となった反射体２８とされるものを、反射体２８の側を内側として蓋本体２２に例えば嵌合して、固定する。凸レンズ２６の外表面側には、さらに、例えば塗装等の方法により、深紅の膜３０が外側に向けてわずかに凸状に形成される。
【００２２】
飾り容器２０は、凸レンズ２６に入射した光が、集光されて反射体２８に当たり、集光した反射光が凸レンズ２６を介して外部に放射される。
このとき、飾り容器２０の飾り面２４を見ると、周辺の深紅の背景のほぼ中央部分に、明るい紅色で、かつ周辺に向けて色の濃さが増す球状あるいは楕円体状の模様が浮かび上がるのを観察することができる。また、このとき、飾り面２４を見る視角を変えると、球状あるいは楕円体状の模様の形状が変化しあるいは模様が移動する様を観察することができる。
観察される模様は、飾り容器１０と同様に、いわばホログラム模様状で、かつシンプルであり、宝飾の趣を得ることができる。
この宝飾の趣のある飾り面は、安価で簡易に形成することができる。
【００２３】
なお、飾り容器２０の反射体２８を二次元湾曲面状に形成するときには、飾り容器１０と同様に、ホットスタンプ（箔押し印刷）等の簡易な方法を採用することができる。
【００２４】
本考案の飾り容器の飾り面は、容器のみでなく、例えば、実印用の印鑑の印材表面等、外見的に高級感を求められる物品にも広く適用することができる。
【図面の簡単な説明】
【００２５】
【図１】本考案の飾り容器の一例を説明するための、飾り容器の概略部分断面図である。
【図２】本考案の飾り容器の他の一例を説明するための、飾り容器の概略部分断面図である。
【符号の説明】
【００２６】
１０、２０  飾り容器
１２  キャップ本体
１４、２４  飾り面
１６、２６  凸レンズ
１８、２８  接着材料
２２  蓋
３０  膜
【図１】
0003116498.tif 000003
【図２】
0003116498.tif 000004